(57)【要約】【課題】  メッセージ再生中に無音部があっても、ノイズ音が気にならないインターホン装置を提供する。【解決手段】  親機スピーカ１１から報音する音声を増幅する増幅器２４の利得を変更可能とし、録音部２０に録音されたメッセージの再生中に録音の有無を検出し、録音がある場合は増幅器２０の利得を上げ、録音がない場合は利得を下げる制御を行うメッセージ再生制御回路２３を設けた。録音部２０に録音された来訪者メッセージはデジタル信号であり、メッセージ再生制御回路２３は、Ｄ／Ａ変換した再生音声の信号を検出し、検出した信号の変化によって音声の有無を判断する。【選択図】  図２
2007329873.tif 000002
【特許請求の範囲】
【請求項１】
居住者を呼び出すために玄関に設置された玄関子機と、前記玄関子機からの呼び出しに応答するために居室内に設置された居室親機とを少なくとも有し、前記居室親機には前記玄関子機から伝送された来訪者メッセージを録音する録音手段と、来訪者の音声や録音されたメッセージを報音するスピーカとが備えられて成るインターホン装置において、
前記居室親機は、前記スピーカから報音する音声を増幅する利得変更可能な増幅器を備え、録音されたメッセージの再生中に録音の有無を検出し、録音がある場合は前記増幅器の利得を上げ、録音がない場合は利得を下げる制御を行うメッセージ再生制御手段を有することを特徴とするインターホン装置。
【請求項２】
居住者を呼び出すために玄関に設置された玄関子機と、前記玄関子機からの呼び出しに応答するために居室内に設置された居室親機とを少なくとも有し、前記居室親機には前記玄関子機から伝送された来訪者メッセージを録音する録音手段と、来訪者の音声や録音されたメッセージを報音するスピーカとが備えられて成るインターホン装置において、
前記居室親機は、録音されたメッセージを前記スピーカに送出する再生路に開閉手段を備え、録音メッセージ再生中に録音の有無を検出し、録音がある場合は再生路を閉成し、録音がない場合は再生路を開放するよう前記開閉手段を制御するメッセージ再生制御手段を有することを特徴とするインターホン装置。
【請求項３】
前記録音手段に録音された前記来訪者メッセージはデジタル信号であり、前記メッセージ再生制御手段は、アナログ化した再生音声の信号を検出し、検出した信号の変化によって録音の有無を判定することを特徴とする請求項１又は２記載のインターホン装置。
【発明の詳細な説明】
【技術分野】
【０００１】
本発明はインターホン装置に関し、特に来訪者のメッセージを録音する機能を備えたインターホン装置に関する。
【背景技術】
【０００２】
来訪者の呼出操作に対して居住者が応答できない場合に、来訪者がメッセージを残せる構成としたインターホン装置が普及している。このようなインターホン装置は、メッセージを録音するために、居室親機に録音手段が設けられ、所定の操作により玄関子機を介して伝送された来訪者メッセージがその録音手段に録音される。そして、このような録音手段としては、半導体メモリが広く使用され、メッセージはデジタル信号に変換されて記憶され、メッセージの再生操作が成されると、アナログ変換されて居室親機のスピーカから報音される（例えば、特許文献１参照）。
【０００３】
【特許文献１】特開２００３−１０１６４９号公報
【発明の開示】
【発明が解決しようとする課題】
【０００４】
しかしながら、上記録音手段によるメッセージの録音は、メッセージの有無に拘わらず、所定の時間に亘り録音動作するため、連続して音声が録音されている場合は少なく、無音声部を多く含んでいる。そのため、録音されたメッセージを再生する場合、この無音部を再生している間は周囲の環境ノイズ等のノイズが親機スピーカから報音されていた。
また、特にデジタル録音されたメッセージを再生する場合は、アナログに変換したときに発生する量子化ノイズ音が加わるため、無音部でのノイズは更に顕著となり利用者には不快なものとなっていた。
【０００５】
そこで、本発明はこのような問題点に鑑み、録音されたメッセージの再生中に無音部があっても、ノイズ音が気にならないインターホン装置を提供することを目的としている。
【課題を解決するための手段】
【０００６】
上記課題を解決する為に、請求項１に記載の発明は、居住者を呼び出すために玄関に設置された玄関子機と、玄関子機からの呼び出しに応答するために居室内に設置された居室親機とを少なくとも有し、居室親機には玄関子機から伝送された来訪者メッセージを録音する録音手段と、来訪者の音声や録音されたメッセージを報音するスピーカとが備えられて成るインターホン装置において、居室親機は、スピーカから報音する音声を増幅する利得変更可能な増幅器を備え、録音されたメッセージの再生中に録音の有無を検出し、録音がある場合は増幅器の利得を上げ、録音がない場合は利得を下げる制御を行うメッセージ再生制御手段を有することを特徴とする。
この構成により、録音されたメッセージを再生する際、録音がない無音部があったらスピーカ出力が下がるので、ノイズがあっても大きな音で再生されるようなことがない。そのため、ノイズ音が気にならず、メッセージ再生中に利用者が不快を感ずるようなことがない。
【０００７】
請求項２の発明は、居住者を呼び出すために玄関に設置された玄関子機と、玄関子機からの呼び出しに応答するために居室内に設置された居室親機とを少なくとも有し、居室親機には玄関子機から伝送された来訪者メッセージを録音する録音手段と、来訪者の音声や録音されたメッセージを報音するスピーカとが備えられて成るインターホン装置において、居室親機は、録音されたメッセージをスピーカに送出する再生路に開閉手段を備え、録音メッセージ再生中に録音の有無を検出し、録音がある場合は再生路を閉成し、録音がない場合は再生路を開放するよう開閉手段を制御するメッセージ再生制御手段を有することを特徴とする。
この構成により、録音されたメッセージを再生する際、録音がない無音部があったらスピーカ出力がオフ操作されるので、ノイズが再生されるようなことがない。そのため、ノイズ音が気になることがなく、利用者が不快を感ずるようなことがない。
【０００８】
請求項３の発明は、請求項１又は２に記載の発明において、録音手段に録音された来訪者メッセージはデジタル信号であり、メッセージ再生制御手段は、アナログ化した再生音声の信号を検出し、検出した信号の変化によって録音の有無を判定することを特徴とする。
この構成により、メッセージ再生制御手段は、アナログ信号の変化から音声を検出するので、Ｄ／Ａ変換した際に発生する量子化ノイズを音声と識別することができ、メッセージ再生中の量子化ノイズを削減して気にならないようにできる。
【発明の効果】
【０００９】
本発明によれば、録音されたメッセージを再生する際、録音がない無音部があったらスピーカ出力が下がるか、スピーカ出力がオフ操作されるので、ノイズが大きな音で再生されるようなことがない。そのため、ノイズ音が気にならず、メッセージ再生中に利用者が不快を感ずるようなことがなくなる。
【発明を実施するための最良の形態】
【００１０】
以下、本発明を具体化した実施の形態を、図面に基づいて詳細に説明する。図１は本発明に係るインターホン装置の第１実施形態を示し、戸建て住宅用のインターホン装置であり、１は居住者を呼び出す為に玄関に設置される玄関子機、２は玄関子機からの呼び出しに応答する為に住戸内に設置される居室親機である。玄関子機１には、呼出ボタン４、マイク５、スピーカ６、来訪者を撮像するカメラ７が備えられ、居室親機２には、呼び出しに応答するための通話ボタン９、マイク１０、スピーカ１１、カメラ７の撮像映像を出画するモニタ１２が備えられている。
【００１１】
そして、居室親機は図２の回路ブロック図に示すように、玄関子機１を接続するための親機インターフェイス（親機ＩＦ）１４、玄関子機１から変調して送られてきた映像信号の復調処理等を行いモニタ１２に出画するための映像処理回路１５、マイク１０及びスピーカ１１を制御する通話回路１６、各種設定操作を行い留守設定ボタン１７ａを有する操作手段１７、タイマ１９、メッセージを録音する録音部（録音手段）２０、カメラ７の撮像映像を録画する録画部２１、居室親機２を制御する親機ＣＰＵ２２、録音の有無を検出して増幅器２４を制御するメッセージ再生制御回路（メッセージ再生制御手段）２３を備えている。
【００１２】
尚、録音部２０は、Ｄ／Ａ変換回路、Ａ／Ｄ変換回路を備えたフラッシュメモリやＲＡＭ等の半導体メモリであり、アナログ音声信号をデジタル信号に変換して記憶すると共に、再生する場合はアナログ信号に変換して出力する。また、モニタ１２の前面にはタッチパネル（図示せず）が設けられ、操作手段１７はこのタッチパネルにより構成され、留守設定ボタン１７ａはタッチパネルとして設けられている。
【００１３】
上記構成のインターホン装置は次のように動作する。尚、インターホン装置の基本動作である玄関子機１からの呼び出し、この呼び出しに対する居室親機２の応答動作、更にカメラ７及びモニタ１２の動作については従来と同様であるので省略し、ここでは留守設定状態での動作を中心に説明する。
【００１４】
居室親機２は、留守設定ボタン１７ａが操作されると、来訪者のメッセージを録音する留守設定状態となる。この状態において、来訪者が玄関子機１の呼出ボタン４を操作すると、呼出信号が居室親機２に伝送され、親機ＩＦ１４を介して親機ＣＰＵ２２で検出される。呼出音を検出した親機ＣＰＵ２２は、スピーカ１１から呼出音を報音させ、内蔵する音声ＲＯＭ（図示せず）から音声ガイダンスを玄関子機１に出力する。この動作を受けて、玄関子機１では、呼出確認音が鳴動した後に音声ガイダンス、例えば「ただいま応答できません。メッセージのある方は１５秒以内でご用件をお話ください」がスピーカ６から報音される。
【００１５】
続いて、居室親機２では親機ＣＰＵ２２の制御により、録音部２０を能動とすると共にタイマ１９を駆動して１５秒の計時を開始し、音声ガイダンスを受けて来訪者が入力した来訪者メッセージが、通話回路１６を介して録音部２１に録音される。この録音は、デジタル信号に変換されて録音、即ち記憶される。そして、タイマ１９が１５秒の計時を終了すると、親機ＣＰＵ２２は自動的に待ち受け状態に移行させる制御を行う。
尚、メッセージ録音中は、親機ＣＰＵ２２の制御により、カメラ７で撮像した来訪者の映像が映像処理回路１５を介して録画部２１にて録画される。
【００１６】
このように録音されたメッセージは、次のように再生される。操作手段１７の所定の操作により、録音されたメッセージが再生され、録音部２０にデジタル信号で録音されたメッセージ音声は、録音部２０内のＤ／Ａ変換回路によりアナログ信号に変換されて出力され、通話回路１６、増幅器２４を介してスピーカ１１から報音される。
【００１７】
このとき、メッセージ再生制御回路２３が録音部２０から出力される音声信号を監視し、録音があると判断した場合は増幅器２４の利得を所定レベルに上げ、録音がないと判断した場合は増幅器２４の利得を所定レベルより低い特定のレベルに下げる制御を行う。詳しくは、アナログ変換した音声信号を検出し、検出した信号が突発的に現れる信号の場合は音声信号有りと判断して利得を上げ、比較的一定レベルで現れる場合はノイズと判断して利得を下げる。このような判断は、例えばモトローラ株式会社製のＭＣ３４１１８を使用することで実現できる。
【００１８】
このように制御することで、録音されたメッセージを再生する際、録音がない無音部があったらスピーカ出力が下がるので、ノイズがあっても大きな音で再生されるようなことがない。そのため、ノイズ音が気にならず、メッセージ再生中に利用者が不快を感ずるようなことがない。また、メッセージ再生制御回路は、アナログ信号の変化から音声を判断するので、Ｄ／Ａ変換した際に発生する量子化ノイズを検出することができ、メッセージ再生中の量子化ノイズを削減して気にならないようにできる。
【００１９】
次に、本発明のインターホン装置の第２の実施形態を説明する。図３は集合住宅インターホン装置のブロック図であり、集合住宅に適用した構成を示している。図３において、２６は居住者を呼び出す為に集合玄関に設置される集合玄関機、２７は集合玄関機２６からの呼び出しに応答する為に夫々の居室内に設置される居室親機、２８は個々の居室前に設置された玄関子機、２９は管理室に設置される管理室親機、３０は各機器間の通話路を制御する制御機である。尚、３１は制御機３０と居室親機２７間の通話・映像路を接続するために居室親機２７毎に設けられた住戸アダプタであり、居室親機２７の制御信号により制御される。
【００２０】
集合玄関機２６には、呼び出したい居室を選択するテンキー３５、呼出ボタン３６、マイク３７、スピーカ３８、来訪者を撮像するカメラ３９等が備えられ、居室親機２７には、通話ボタン４０、マイク４１、スピーカ４２、カメラ３９の撮像映像を出画するモニタ４３が備えられている。
【００２１】
そして、居室親機２７は図４の回路ブロック図に示すように、住戸アダプタ３１を介して制御機３０に接続するための親機インターフェイス（親機ＩＦ）４５、集合玄関機２６から変調して送られてきた映像信号の復調処理等を行いモニタ４３に出画するための映像処理回路４６、増幅器等を有しマイク４１及びスピーカ４２を制御する通話回路４７、スピーカ４２をオン／オフ操作するスイッチ４８、各種設定操作を行い留守設定ボタン４９ａを有する操作手段４９、タイマ５０、メッセージを録音する録音手段である録音部５１、カメラ撮像映像を録画する録画部５２、居室親機２７を制御する親機ＣＰＵ５３、録音の有無を検出してスイッチ４８を制御するメッセージ再生制御回路（メッセージ再生制御手段）５４を備えている。
【００２２】
尚、上記実施形態と同様に、録音部５１は、Ｄ／Ａ変換回路、Ａ／Ｄ変換回路を備えたフラッシュメモリやＲＡＭ等の半導体メモリであり、アナログ音声信号をデジタル信号に変換して記憶すると共に、再生する場合はアナログ信号に変換して出力する。また、モニタ４３の前面にはタッチパネル（図示せず）が設けられ、操作手段４９はこのタッチパネルにより構成され、留守設定ボタン４９ａはタッチパネルとして設けられている。
【００２３】
上記構成の集合住宅インターホン装置は次のように動作する。尚、集合住宅インターホン装置の基本動作である集合玄関機２６からの呼び出し、この呼び出しに対する居室親機２７の応答動作、更にカメラ３９及びモニタ４３の動作については、従来と同様であるので省略し、ここでは留守設定状態での動作を中心に説明する。
【００２４】
居室親機２７は、留守設定ボタン４９ａが操作されると、来訪者のメッセージを録音する留守設定状態となる。この状態において、来訪者が集合玄関機２６のテンキー３５および呼出ボタン３６を操作すると、居室ＩＤが付加された呼出信号が制御機３０、住戸アダプタ３１を介して居室親機２７に送信され、親機ＩＦ４５を介して親機ＣＰＵ５３で検出される。
呼出音を検出した親機ＣＰＵ５３は、スピーカ４２から呼出音を報音させると共に、呼出信号を受信したことを制御機３０へ返信する。この返信信号を受けて、制御機３０は集合玄関機２６と呼び出された居室親機２７との通話路を形成する制御を行う。また、居室親機２７では留守設定がされているのでメッセージの録音動作を開始し、先ず住戸アダプタ３１に制御機３０と居室親機２７間の通話路を形成する制御をおこなう。これによって、録音可能な状態となり、内蔵する音声ＲＯＭ（図示せず）から音声ガイダンスを制御機５を介して集合玄関機４に出力する。
【００２５】
この動作を受けて、集合玄関機２６では呼出確認音が鳴動した後に、音声ガイダンス、例えば「ただいま応答できません。メッセージのある方は１５秒以内でご用件をお話ください」が集合玄関機２６のスピーカ３８から出力される
【００２６】
続いて、居室親機２７では親機ＣＰＵ５３の制御により、録音部５１を能動とすると共にタイマ５０を駆動して１５秒の計時を開始し、音声ガイダンスを受けて来訪者が入力した来訪者メッセージが通話回路４７を介して録音部５１に録音される。この録音は、デジタル信号に変換されて録音、即ち記憶される。
そして、タイマ５０が１５秒の計時を終了すると、親機ＣＰＵ５３は自動的に待ち受け状態に移行させる制御を行うとともに、終了したことを制御機３０に知らせ、制御機３０は集合玄関機２６、居室親機２７間の通話路を遮断する。尚、録音を終了したら集合玄関機２６に対して「メッセージをお預かりします」といった音声ガイダンスを流すようにしてもよい。
【００２７】
このように録音されたメッセージは、次のように再生される。操作手段４９の所定の操作により、録音されたメッセージが再生され、録音部５１にデジタル信号で録音されたメッセージ音声は、内部のＤ／Ａ変換回路によりアナログ信号に変換されて出力され、通話回路４７を介してスピーカ４２から報音される。
【００２８】
このとき、メッセージ再生制御回路５４が録音部５１から出力される音声信号を監視し、録音があると判断した場合はスイッチ４８をオン操作してスピーカ４２から報音させる制御を行い、録音がないと判断したらスイッチ４８をオフ操作してスピーカ４２から報音させない制御を実施する。詳しくは、アナログ変換した音声信号を検出し、検出した信号が突発的に現れる信号の場合は音声信号有りと判断してスイッチ４８のオン操作を行い、比較的一定レベルで現れる場合はノイズと判断してスイッチ４８のオフ操作を行う。このような判断は、例えばモトローラ株式会社製のＭＣ３４１１８を使用することで実現できる。
【００２９】
このように、録音されたメッセージを再生する際、録音がない無音部があったらスピーカ出力がオフ操作されるので、ノイズが再生されるようなことがない。そのため、ノイズ音が気になることがなく、利用者が不快を感ずるようなことがない。また、メッセージ再生制御回路は、アナログ信号の変化から音声を判断するので、Ｄ／Ａ変換した際に発生する量子化ノイズを検出することができ、メッセージ再生中の量子化ノイズを消去して気にならないようにできる。
【００３０】
尚、この実施形態においても、集合玄関機２６のカメラ３９で撮像した来訪者の映像は制御機３０、住戸アダプタ３１を介して居室親機２７に送信され、映像処理回路４６を介して録画部５２にて録画されることはいうまでもない。また、録音と録画は連動しないで独立しておこなうことが可能であって、もし、来訪者が音声メッセージを残さなかった場合であっても、録画部５２に録画された画像は消去されることはない。また、留守設定時に居室前に設置された玄関子機２８を操作した場合は、上記戸建住宅用のインターホン装置と同様の流れでメッセージの録音が行われる。
【００３１】
また、上記実施形態は何れも、メッセージ再生制御回路２３，５４は、検出した信号が突発的に現れる信号の場合に音声信号有りと判断しているが、単純に所定のレベルを超える信号を検出したら音声信号有りと判断させても良い。
更に、上記戸建住宅用のインターホン装置では、増幅器２４の利得を制御してノイズの削減を図っているが、増幅器２４を制御せずに第２実施形態の集合住宅用のインターホン装置のように録音のない場合はスピーカ１１の出力をオフ操作しても良いし、逆に集合住宅インターホン装置においては、増幅器の利得を制御する構成としても良い。
【図面の簡単な説明】
【００３２】
【図１】本発明に係るインターホン装置の第１実施形態を示し、戸建住宅用インターホン装置の構成図である。
【図２】図１の居室親機の回路ブロック図である。
【図３】本発明に係るインターホン装置の第２実施形態を示し、集合住宅用インターホン装置の構成図である。
【図４】図３の居室親機の回路ブロック図である。
【符号の説明】
【００３３】
１・・玄関子機、２・・居室親機、１１・・スピーカ、２０・・録音部（録音手段）、２２・・親機ＣＰＵ、２３・・メッセージ再生制御回路（メッセージ再生制御手段）、２４・・増幅器、２６・・集合玄関機、２７・・居室親機、４２・・スピーカ、４７・・通話回路、４８・・スイッチ（開閉手段）、５１・・録音部（録音手段）、５３・・親機ＣＰＵ、５４・・メッセージ再生制御回路（メッセージ再生制御手段）。
【図１】
2007329873.tif 000003
【図２】
2007329873.tif 000004
【図３】
2007329873.tif 000005
【図４】
2007329873.tif 000006